(57)【要約】【課題】外壁を構成する壁パネルに凹凸模様を形成して既存の住宅のリフォームを行うに際し、壁パネルを打撃したときに発生する破片や粉塵を集塵し、且つ騒音を可及的に軽減させる。【解決手段】加工工具Ａは、本体１ａに配置されたハンマー１ｂに打撃される針金２と、針金２の周囲に配置され本体１ａに対して移動不能に構成された第１筒体５と、第１筒体５と同心的に配置され軸方向に往復移動可能に構成された第２筒体６と、第２筒体６を突出させる方向に付勢するバネ７と、第２筒体６に取り付けたホース９及び該ホース９に接続した集塵部材とを有する。【選択図】　　　　　　　図１
2004122618.tif 000002
【特許請求の範囲】
【請求項１】
本体に配置されたハンマーに打撃されるタガネと、前記タガネの周囲に配置され本体に対して移動不能に構成された第１の筒体と、前記第１の筒体と同心的に配置され軸方向に往復移動可能に構成された第２の筒体と、前記第２の筒体を突出させる方向に付勢する付勢部材と、前記第１の筒体又は第２の筒体に取り付けたホース及び該ホースに接続した集塵部材と、を有することを特徴とする加工工具。
【請求項２】
少なくとも本体を防音材によってカバーしたことを特徴とする請求項１に記載した加工工具。
【発明の詳細な説明】
【０００１】
【発明の属する技術分野】
本発明は、騒音の発生を可及的に軽減させた加工工具に関し、特に、既存の住宅に於ける外壁を打撃してリフォームする際に用いて有利な加工工具に関するものである。
【０００２】
【従来の技術】
最近では、軽量で高い耐火性と断熱性を発揮する軽量気泡コンクリートパネル（ＡＬＣパネル）を用いて外壁を構成した住宅が多くなっている。このような住宅では、外壁を構成するＡＬＣパネルの表面に塗装を施すのが一般的である。しかし塗装面は経時的に劣化するため、劣化した塗装面を定期的に補修することが必要となる。
【０００３】
上記補修としては、既存の外壁に対する再塗装や、既存の外壁の表面にタイルや新たな外壁材を取り付ける方法があるが、再塗装では外観のデザインそのものを変えたり質感のイメージを変えることが出来ないという問題があり、また新たな外壁材を取り付ける方法では重量が大幅に増加することとなり、躯体に対する負担が大きくなるという問題がある。
【０００４】
このため、外壁の重量を増加させることなく（軽減させる）、外観のデザイン及び質感を変えるリフォーム方法として、棒を装備した打撃用具を用いてＡＬＣパネルの表面に打撃を与え、これにより、表面仕上層を剥離する方法が提案されている（例えば特許文献１）。
【０００５】
【特許文献１】
特開２００１−３５５３２４号公報
【０００６】
【発明が解決しようとする課題】
しかし上記技術では、打撃用具によってＡＬＣパネルを打撃して表面仕上層を剥離させるのに伴って粉塵が発生するという問題が生じている。
【０００７】
また打撃用具が内蔵したハンマーによって直接又は間接的に棒を打撃し、この打撃に応じて棒がＡＬＣパネルを打撃するものであるため、騒音が発生するという問題が生じている。
【０００８】
本発明の目的は、壁パネルを打撃したときに発生する粉塵を集塵することが出来、且つ騒音を可及的に軽減させた加工工具を提供することにある。
【０００９】
【課題を解決するための手段】
上記課題を解決するために本発明に係る加工工具は、本体に配置されたハンマーに打撃されるタガネと、前記タガネの周囲に配置され本体に対して移動不能に構成された第１の筒体と、前記第１の筒体と同心的に配置され軸方向に往復移動可能に構成された第２の筒体と、前記第２の筒体を突出させる方向に付勢する付勢部材と、前記第１の筒体又は第２の筒体に取り付けたホース及び該ホースに接続した集塵部材とを有して構成されるものである。
【００１０】
上記加工工具では、タガネの周囲に配置された第１の筒体を本体に移動不能に構成すると共に第１の筒体と同心的に配置された第２の筒体を本体に対し軸方向に往復移動可能に構成し、且つ第２の筒体を付勢部材によって常に突出させる方向に付勢しているので、該加工工具を利用して住宅の外壁のリフォームを行う際に、壁パネルに対向させて接触させたとき、第２の筒体の先端が壁パネルの表面に当接して該第２の筒体と第１の筒体とによってタガネの周囲を囲むことが出来る。このため、タガネを駆動して壁パネルの表面仕上層を剥離したとき、剥離した剥離片や粉塵が第１，第２の筒体の外部に飛散することがない。
【００１１】
更に、第１の筒体或いは第２の筒体にホース及び該ホースに接続した集塵部材を有するので、該集塵部材を作動させることで第１，第２の筒体にある剥離片や粉塵を集塵することが出来る。従って、周囲を汚染することがなく、且つリフォーム作業が終了した後の清掃作業も容易に行うことが出来る。
【００１２】
上記加工工具に於いて、少なくとも本体を防音材によってカバーすることが好ましい。加工工具をこのように構成することによって、本体に配置したハンマーがタガネを打撃する際の打撃音や、タガネが壁パネルを打撃する際の打撃音を軽減することが出来る。
【００１３】
【発明の実施の形態】
以下、本発明に係る加工工具の好ましい実施形態について説明する。本発明は既存の住宅の外壁をリフォームするに際し、該外壁を構成する壁パネルを打撃して新たな凹凸模様を形成するために用いることが可能な加工工具であり、壁パネルを打撃したときに発生する剥離片や粉塵を集塵することを可能とし、且つ前記打撃に伴って発生する騒音を可及的に軽減させたものである。
【００１４】
既存の住宅の外壁を構成する材料を特に限定するものではなく、軽量気泡コンクリートパネル（ＡＬＣパネル）やプレキャストコンクリートパネル（ＰＣパネル）等を対象とすることが可能である。しかし、既存の住宅では、軽量で断熱性や耐火性を有することから、ＡＬＣパネルであることが好ましい。
【００１５】
リフォームに際し外壁に形成する凹凸模様の内容は限定するものではない。凹凸模様として、例えば、外壁に略一定の間隔で縦方向，横方向，縦横方向に形成した溝、この溝の両側を剥離してぼやかした模様溝、外壁の表面に略一定の面積を区切ってあばた状に形成した模様、溝とあばた模様を混在させた模様等があり、本発明に係る加工工具は、何れも容易に加工することが可能なように構成されている。
【００１６】
本発明に係る加工工具では、本体に配置されたハンマーによってタガネを打撃し、該タガネによって壁パネルの表面を打撃することで、該表面を剥離して凹凸模様を形成し得るように構成されている。ハンマーを駆動する動力としては特に限定するものではなく、圧縮空気或いは電気を利用することが可能である。
【００１７】
タガネは、外壁の表面を打撃して剥離する機能を有するものであれば良く、構造や形状を限定するものではない。このようなタガネとして、例えば１本の棒状の鋼からなる単針タガネや、複数の針金を有する多針タガネがあり、何れも先端を外壁に接触させて１本の棒の後端部或いは複数の針金の後端部をハンマーで打撃し、このときの衝撃によって外壁の表面を打撃して剥離することが可能である。
【００１８】
第１の筒体は本体に対して移動不能に構成され、第２の筒体は第１の筒体と同心的に配置されると共に軸方向に往復移動可能に構成される。特に、第２の筒体は付勢部材に付勢されて常に突出した状態を保持する。この状態で第２の筒体の先端部分はタガネの先端と略等しいか、突出した状態にあることが好ましく、加工工具を外壁に対向させてタガネの先端を接触させたとき、第２の筒体が僅かに本体側に移動し得ることが好ましい。
【００１９】
第２の筒体を上記の如く構成することによって、タガネによって外壁の表面を打撃する際に、第２の筒体によってタガネの周囲で且つ外壁の表面と本体との間に区画した空間を形成することが可能となる。
【００２０】
第１の筒体或いは第２の筒体に取り付けるホース、該ホースに接続する集塵部材の構成は特に限定するものではなく、剥離した外壁の破片や粉塵を集塵し得る程度の吸引力を発揮し得る集塵部材と、前記吸引力に対抗し得る剛性を持ったホースであることが必要である。
【００２１】
また加工工具に於いて、本体をカバーする防音材は特に限定するものではなく、吸音性能，制振性能を有する防音材であれば好ましい。また防音材の形状も特に限定するものではなく、シート状の防音材を用いて本体をカバーし、或いは本体を収容し得る空間を持った成形体によってカバーし得るように構成することが可能である。
【００２２】
以下、本発明に係る加工工具の好ましい実施例について図を用いて説明する。図１は加工工具の構成を説明する図である。図２は多針タガネの例を説明する図である。図３は加工工具を用いて外壁を打撃する際の打撃部位の構造を説明する図である。
【００２３】
図１に示す加工工具Ａは、図２に示す多針タガネ１を利用して外壁を構成する壁パネルＢ（図３参照）の表面に凹凸模様を形成することで、既存の住宅のリフォームを実施し得るように構成されたものであり、外壁を打撃して表面を剥離する際に発生した破片や粉塵を集塵することが可能で、且つ発生する騒音を可及的に軽減し得るように構成されている。
【００２４】
先ず、多針タガネ１の構成について簡単に説明する。多針タガネ１は、本体１ａの内部にタガネとなる針金２の後端部を打撃するハンマー１ｂが往復移動可能に収容されている。また本体１ａにはハンマー１ｂを駆動する圧縮空気を供給する配管３が接続され、圧縮空気の供給，遮断を操作するハンドル１ｃが設けられている。更に、本体１ａの内部には図示しない特殊な弁機構が内蔵されており、ハンドル１ｃを操作して圧縮空気を供給すると、ハンマー１ｂに対する圧縮空気の供給を自動的に切り換えて該ハンマー１ｂを往復移動させるように構成されている。
【００２５】
従って、ハンドル１ｃを操作して圧縮空気を供給すると、ハンマー１ｂが軸方向に往復移動し、この移動過程で針金２の後端部２ａを打撃することが可能である。そして、ハンマー１ｂによって打撃された針金２は、このときの衝撃で先端側へ飛び出し、これにより壁パネルＢを打撃して表面を剥離することが可能である。
【００２６】
本体１ａの先端部分（針金２の配置側）に座４が設けられており、該座４に第１筒体５が固定されている。この第１筒体５は複数の針金２を囲むように配置されており、先端５ａは針金２の先端２ｂよりも本体１ａ側になる程度ように設定されている。
【００２７】
第１筒体５は、第２筒体６の往復移動を案内するガイドとしての機能を有しているため、充分な強度を有する材料で形成されている。本実施例では第１筒体５及び第２筒体６をアクリルパイプによって形成している。
【００２８】
第２筒体６は、第１筒体５と同心的に配置され、軸方向への往復移動が可能なように構成されている。即ち、第２筒体６は、第１筒体５の外周に嵌合しており、付勢部材となるバネ７によって常に針金２の先端２ｂ方向へ突出するように付勢されている。また第２筒体６の外周には可撓性を持ったシートが取り付けられており、該シートによってスカート８が形成され、これにより、壁パネルＢの表面をリフォームする際に、より柔軟に壁パネルＢの表面と第２筒体５の先端５ａとの間に形成される隙間を塞ぐことが可能なように構成されている。
【００２９】
本実施例に於いて、第２筒体６の先端６ａは針金２の先端２ｂと略等しいか、僅かに突出する位置になるように設定されている。そしてこの状態で第１筒体５から離脱することのないように構成されている。従って、加工工具Ａを壁パネルＢに対向させて針金２を接触させたとき、第２筒体６の先端６ａも外壁に当接して本体１ａ側に移動し、針金２の周囲を第２筒体６とスカート８とによって塞ぐことが可能となる。
【００３０】
第２筒体６の側面には、図示しないブロア等の集塵部材に接続されたホース９の端部が取り付けられている。またホース９と対向する第１筒体５には、ホース９の内径と略等しい長穴が形成されており、第２筒体６が軸方向に移動した場合であっても、ホース８の開口面積に支障を与えることがないように構成されている。
【００３１】
従って、該集塵部材を作動させることによって、第１筒体５，第２筒体６，スカート８及び壁パネルＢとで構成される空間を吸引することが可能であり、この吸引に伴って外壁の破片は粉塵を集塵することが可能である。
【００３２】
本体１ａの周囲は防音材１０によってカバーされており、また第１筒体５の外周に配置されたバネ７の周囲にも防音材１１が配置されている。特に、本体１ａをカバーする防音材１０の先端は、本体１ａから突出して第１筒体５の先端５ａの近傍に至るように配置されており、且つ第１筒体５の先端５ａの近傍で絞り込まれるように形成されている。
【００３３】
本実施例では、本体１ａをカバーする防音材１０は、本体１ａに密着させた制振材と、該制振材の外側に複数層配置された吸音材と、該吸音材の外側に配置された制振材と、を有する複合された構造となっている。特に、吸音材としては厚さ１０ｍｍのポリウレタンからなるカームフレックス（Ｆ６）（登録商標）を用いており、制振材としては厚さ２ｍｍのポリウレタンからなるカームフレックス（ＲＰ）（登録商標）を用いている。
【００３４】
上記吸音材，制振材は高い吸音能力，制振能力を有しており、本発明に係る加工工具Ａのように、既存の住宅をリフォームする際に作業員が手で持って操作する際に有利である。
【００３５】
次に、上記加工工具Ａによって外壁をリフォームする際の状態について図３により簡単に説明する。先ず、作業員が加工工具Ａを手で持って目的の外壁を構成する壁パネルＢに対向させ、この状態で針金２の先端２ｂを接触させる。これに伴って、スカート８が壁パネルＢの表面に沿って屈曲し、且つ第２筒体６の先端６ａが外壁Ｂの表面と当接して本体１ａ側に移動する。これにより、針金２の周囲には、第１筒体５，第２筒体６スカート８及び外壁Ｂの表面とからなる空間が形成され、集塵部材を作動させることで、空間内の空気を吸引する。
【００３６】
上記状態で、作業員がハンドル１ｃを操作すると、ハンマー１ｂが往復移動して針金２の後端部２ａを打撃し、これに伴って、針金２の先端２ｂによって壁パネルＢの表面が打撃されて剥離する。剥離された破片、及び粉塵は、集塵部材の吸引力によってホース９を通って集塵される。
【００３７】
上記の如き外壁の剥離作業を維持して作業員が加工工具Ａを所望の方向に移動させることで、既存の住宅の外壁には、目的の凹凸模様が形成され、これによりリフォームがなされる。
【００３８】
特に、ハンマー１ｂが針金２の後端部２ａを打撃する際に大きな騒音と振動が発生するが、本体１ａをカバーする防音材１０の作用によって可及的に騒音を軽減することが可能であり、且つ振動を軽減することが可能となる。
【００３９】
【発明の効果】
以上詳細に説明したように本発明に係る加工工具では、タガネの周囲に第１筒体と第２筒体を配置し、第２筒体を付勢部材によって突出させる方向に付勢することで、壁パネルに対向させて接触させたとき、第２筒体の先端が壁パネルの表面に当接してタガネの周囲に空隙を形成することが出来る。このため、剥離した破片や粉塵を飛散させることなく、集塵することが出来る。従って、リフォーム作業が終了した後の清掃作業も容易に行うことが出来る。
【００４０】
また少なくとも本体を防音材によってカバーすることによって、本体に配置したハンマーによる打撃音を軽減することが出来る。
【図面の簡単な説明】
【図１】加工工具の構成を説明する図である。
【図２】多針タガネの例を説明する図である。
【図３】加工工具を用いて外壁を打撃する際の打撃部位の構造を説明する図である。
【符号の説明】
Ａ　　　　　　　　　　　加工工具
Ｂ　　　　　　　　　　　壁パネル
１　　　　　　　　　　　多針タガネ
１ａ　　　　　　　　　　本体
１ｂ　　　　　　　　　　ハンマー
１ｃ　　　　　　　　　　ハンドル
２　　　　　　　　　　　針金
２ａ　　　　　　　　　　後端部
２ｂ　　　　　　　　　　先端
３　　　　　　　　　　　配管
４　　　　　　　　　　　座
５　　　　　　　　　　　第１筒体
５ａ　　　　　　　　　　先端
６　　　　　　　　　　　第２筒体
６ａ　　　　　　　　　　先端
７　　　　　　　　　　　バネ
８　　　　　　　　　　　スカート
９　　　　　　　　　　　ホース
１０，１１　　　　　　　防音材
【図１】
2004122618.tif 000003
【図２】
2004122618.tif 000004
【図３】
2004122618.tif 000005